(57)【要約】【課題】抗乳化性に優れるガスエンジン油組成物を提供する。【解決手段】基油と、エーテル型非イオン性界面活性剤を０．２５〜０．３５質量％と、アニオン性界面活性剤、カチオン性界面活性剤、及びエーテル型非イオン性界面活性剤以外の非イオン性界面活性剤から選ばれる少なくとも一種である抗乳化剤を０．０２５〜０．０３５質量％と、非分散型の粘度調整剤と、を含有する、ガスエンジン油組成物。【選択図】なし【特許請求の範囲】
【請求項１】
基油と、
エーテル型非イオン性界面活性剤を０．２５〜０．３５質量％と、
アニオン性界面活性剤、カチオン性界面活性剤、及びエーテル型非イオン性界面活性剤以外の非イオン性界面活性剤から選ばれる少なくとも一種である抗乳化剤を０．０２５〜０．０３５質量％と、
非分散型の粘度調整剤と、を含有する、ガスエンジン油組成物。
【請求項２】
さらにカルシウムサリシレートを含有し、組成物の塩基価が２〜７ｍｇＫＯＨ／ｇであり、組成物の１００℃における動粘度が１０〜２０ｍｍ２／ｓであり、組成物中の硫酸灰分が０．８質量％以下である、請求項１に記載のガスエンジン油組成物。
【発明の詳細な説明】
【技術分野】
【０００１】
本発明は、ガスエンジン油組成物に関する。
【背景技術】
【０００２】
近年、地球環境などの環境問題への対応として、エンジン油組成物に対しても燃費効果及び清浄性など様々な効果を付与することが求められている。
このようなエンジン油組成物としては、例えば、潤滑基油に、ホウ素含有コハク酸イミドと、コハク酸イミドと、アルカリ土類金属系清浄剤と、粘度指数向上剤と、を含有するエンジン油組成物が提案されている（例えば、特許文献１参照）。
【０００３】
環境負荷低減、及びメンテナンスの容易化からガスエンジン油組成物についても更油間隔の長い長寿命（ロングドレン）油が求められている。
ガスエンジンシステムは、燃焼性が良く、燃焼温度もガソリンエンジンや陸上ディーゼルエンジンよりも高いため、高温酸化やＮＯｘの発生量が多く、液体燃料を使用するエンジンと比較して、エンジン用潤滑油、すなわちエンジン油組成物の劣化が促進され易い。従ってガスエンジン油組成物の長寿命化を実現するには、耐酸化性や耐ＮＯｘ性に優れた特性を持たせることが重要である。
【先行技術文献】
【特許文献】
【０００４】
【特許文献１】特開２００１−２７９２８７号公報
【発明の概要】
【発明が解決しようとする課題】
【０００５】
ガスエンジン機関では、低温環境下において凝縮水の発生により配管内でマヨネーズスラッジを生成する場合がある。スラッジによる配管閉塞が発生した場合、ブローバイガスや潤滑油の漏洩が発生する恐れがある為、このようなマヨネーズスラッジの生成を抑制する性質（抗乳化性）についても重要である。
【０００６】
耐酸化性の向上には、例えば、酸化安定性に優れるグループＩＩＩ基油を配合することが有効な方法の一つであるが、グループＩＩＩ基油は比較的低粘度であるため、ガスエンジン油組成物を所定の粘度にするには粘度調整剤の配合が必須である。しかしながら、このようなガスエンジン油組成物では耐酸化性の向上は認められるものの、抗乳化性が悪化する問題が生じた。特に、粘度調整剤として非分散型の粘度調整剤を使用した場合、抗乳化性の悪化が著しい傾向にある。
【０００７】
本発明は、上記のような実情に鑑みてなされたものであり、抗乳化性に優れるガスエンジン油組成物を提供することを課題とする。
【課題を解決するための手段】
【０００８】
本発明者は、上記課題を解決するために鋭意検討を行った結果、耐酸化性の向上の為、基油として比較的低粘度の基油（例えば、グループＩＩＩ基油）を使用し、粘度グレードを指定の粘度にする為、非分散型の粘度調整剤を使用しても界面活性剤及び抗乳化剤を含有することで、抗乳化性に優れるガスエンジン油組成物を見出した。本発明は、これらの知見に基づいて完成したものである。
【０００９】
＜１＞  基油と、エーテル型非イオン性界面活性剤を０．２５〜０．３５質量％と、アニオン性界面活性剤、カチオン性界面活性剤、及びエーテル型非イオン性界面活性剤以外の非イオン性界面活性剤から選ばれる少なくとも一種である抗乳化剤を０．０２５〜０．０３５質量％と、非分散型の粘度調整剤と、を含有する、ガスエンジン油組成物。
【００１０】
＜２＞  さらにカルシウムサリシレートを含有し、組成物の塩基価が２〜７ｍｇＫＯＨ／ｇであり、組成物の１００℃における動粘度が１０〜２０ｍｍ２／ｓであり、組成物中の硫酸灰分が０．８質量％以下である、＜１＞に記載のガスエンジン油組成物。
【発明の効果】
【００１１】
本発明によれば、抗乳化性に優れるガスエンジン油組成物が提供される。
【発明を実施するための形態】
【００１２】
以下、本発明のガスエンジン油組成物について詳細に説明する。なお、本明細書中、数値範囲を表す「〜」はその上限及び下限としてそれぞれ記載されている数値を含む範囲を表す。また、「〜」で表される数値範囲において上限値のみ単位が記載されている場合は、下限値も同じ単位であることを意味する。
本明細書において、組成物中の各成分の量は、組成物中に各成分に該当する物質が複数存在する場合は、特に断らない限り、組成物中に存在する当該複数の物質の合計量を意味する。
【００１３】
本発明のガスエンジン油組成物は、基油と、エーテル型非イオン性界面活性剤を０．２５〜０．３５質量％と、アニオン性界面活性剤、カチオン性界面活性剤、及びエーテル型非イオン性界面活性剤以外の非イオン性界面活性剤から選ばれる少なくとも一種である抗乳化剤を０．０２５〜０．０３５質量％と、非分散型の粘度調整剤と、を含有する。
本発明のガスエンジン油組成物は、必要に応じて上記以外の成分を含んでいてもよい。
【００１４】
（基油）
本発明のガスエンジン油組成物は、基油の少なくとも一種を含有する。
基油の種類としては、鉱油系基油及び合成系基油の中から選ばれる一種以上のものを用いることができる。
【００１５】
鉱油系基油としては、例えば、原油の潤滑油留分を溶剤精製、水素化精製、水素化分解精製、又は水素化脱蝋などの精製法を適宜組合せて精製した基油が挙げられる。なお、後述の粘度指数が１２５以上である基油としては、水素化精製油、触媒異性化油などに溶剤脱蝋または水素化脱蝋などの処理を施した高度に精製されたパラフィン系鉱油（高粘度指数鉱油系潤滑油基油）等が挙げられる。
【００１６】
合成系潤滑油基油としては、例えば、メタン等の天然ガスを原料として合成されるイソパラフィン、α−オレフィンオリゴマー、ジアルキルジエステル類、ポリオール類、アルキルベンゼン類、ポリグリコール類、及びフェニルエーテル類などの基油が挙げられる。
【００１７】
基油としては、通常、ガスエンジン油組成物に用いられる性状を有する基油を適宜使用することができる。より長寿命のガスエンジン油組成物とする観点から、１００℃における動粘度（１００℃動粘度）が５〜１２ｍｍ２／ｓ、粘度指数が１２５以上である基油が好ましく、１００℃動粘度が６〜１０ｍｍ２／ｓ、粘度指数が１２５以上である基油がより好ましい。
【００１８】
このような性状の基油は、アメリカ石油協会（ＡＰＩ）の基油分類で、グループＩＩ基油（硫黄分０．０３質量％以下、飽和分９０質量％以上、粘度指数８０以上１２０未満の性状を有する基油）とグループＩＩＩ基油(硫黄分０．０３質量％以下、飽和分９０質量％以上、粘度指数１２０以上)とを混合して上記性状に合わせたものを使用してもよく、グループＩＩＩ基油を単独で使用してもよい。本発明においては、耐酸化性の観点から、グループＩＩＩ基油を使用することが好ましい。
【００１９】
（エーテル型非イオン性界面活性剤）
本発明のガスエンジン油組成物はエーテル型非イオン性界面活性剤の少なくとも一種を含有する。
エーテル型非イオン性面活性剤としては、例えば、ＨＬＢ（Ｈｙｄｒｏｐｈｉｌｅ−Ｌｉｐｏｐｈｉｌｅ−Ｂａｌａｎｃｅ）値が９〜１０のポリオキシエチレンアルキルエーテルが挙げられる。ここで、ＨＬＢ値とは、エーテル型非イオン性界面活性剤の水と油への親和性のバランスを表す指標であり、化学構造や物性などの数値を基に計算により求められる数値である。
【００２０】
ＨＬＢ値は小さいほど親油性が高く、大きいほど親水性が高いことを示す。なお、本発明におけるＨＬＢ値はグリフィン法により求めた値である。
【００２１】
本発明のガスエンジン油組成物におけるエーテル型非イオン性界面活性剤は、後述の抗乳化剤と相俟って抗乳化性の向上効果及び耐酸化性の向上効果を発現する成分として機能する。エーテル型非イオン性界面活性剤は、ガスエンジン油組成物における含有量が少なすぎると、ガスエンジン油組成物に水分が多量に浸入した際に十分な抗乳化性が得られず、含有量が多すぎると侵入した水分量に関わらず、耐酸化性及び長期貯蔵安定性が損なわれる。
上記の観点から、本発明のガスエンジン油組成物におけるエーテル型非イオン性界面活性剤の配合量は、ガスエンジン油組成物全量に対して０．２５〜０．３５質量％であり、好ましくは０．２６〜０．３３質量％であり、より好ましくは０．２８〜０．３２質量％である。
エーテル型非イオン性界面活性剤の配合量が０．２５〜０．３５質量％であると、十分な抗乳化性が得られ、かつ、耐酸化性及び長期貯蔵安定性を損なう恐れがない。
【００２２】
（抗乳化剤）
本発明のガスエンジン油組成物は抗乳化剤の少なくとも一種を含有する。
抗乳化剤としては、アニオン性界面活性剤、カチオン性界面活性剤、及びエーテル型非イオン性界面活性剤以外の非イオン性界面活性剤等の抗乳化剤が挙げられ、エーテル型非イオン性界面活性剤以外の非イオン性界面活性剤が好ましく用いられる。具体的には、ポリアルキレングリコールが好ましく用いられる。
ポリアルキレングリコールとしては、例えば、エチレングリコール、プロピレングリコール、又はブチレングリコールをモノマーとし、これらをそれぞれ単独で重合させたホモポリマー、及び、それぞれを組み合わせて重合させたコポリマーが挙げられる。これらのホモポリマー及びコポリマーは、それぞれ単独で用いてもよく、組み合わせて用いてもよいが、コポリマーが好ましく用いられる。
【００２３】
本発明のガスエンジン油組成物に含有される抗乳化剤としては、エチレングリコールとプロピレングリコールとを組み合わせて重合させたエチレンオキサイド−プロピレンオキサイドコポリマー（例えば、ポリオキシエチレン−ポリオキシプロピレン縮合物）が好ましい。
【００２４】
本発明のガスエンジン油組成物における抗乳化剤は、前述のエーテル型非イオン性界面活性剤と相俟って抗乳化性の向上効果及び耐酸化性の向上効果を発現する成分として機能する。抗乳化剤は、ガスエンジン油組成物における含有量が少なすぎると、ガスエンジン油組成物に侵入した水分とガスエンジン油組成物とにより生成されるエマルジョン（すなわちマヨネーズスラッジ）の量を抑制することができなくなるため、十分な抗乳化性が得られず、含有量が多すぎると、ガスエンジンの駆動時などに発生する熱により抗乳化剤が熱分解を起こし、耐酸化性が急激に悪化するため、ガスエンジン油組成物に必要な、耐酸化性及び長期貯蔵安定性が損なわれる。
本発明のガスエンジン油組成物における抗乳化剤の配合量は、ガスエンジン油組成物全量に対して０．０２５〜０．０３５質量％であり、好ましくは０．０２７〜０．０３３質量％であり、より好ましくは０．０２８〜０．０３２質量％である。
抗乳化剤の配合量が０．０２５〜０．０３５質量％であると、十分な抗乳化性が得られ、かつ、耐酸化性及び長期貯蔵安定性を損なう恐れがない。
【００２５】
（粘度調整剤）
本発明のガスエンジン油組成物は、非分散型の粘度調整剤の少なくとも一種を含有する。
【００２６】
非分散型の粘度調整剤としては、重量平均分子量が、１００，０００〜５００，０００である非分散型のＯＣＰ（オレフィンコポリマー）が挙げられ、より好ましくは、重量平均分子量が、１００，０００〜２００，０００の非分散型ＯＣＰが挙げられる。
重量平均分子量が、１００，０００以上であると、少量の添加でガスエンジン油組成物を所定の粘度に調節することができる為経済性が良く、５００，０００以下であると、ガスエンジン油組成物のせん断安定性が良化する。
なお、重量平均分子量は、下記条件にて、ゲルパーミエーションクロマトグラフィー（ＧＰＣ）で測定された分子量算定用標準ポリスチレン換算の値である。
＜条件＞
装置：Ｓｈｏｄｅｘ  ＧＰＣ−１０１（昭和電工(株)製）、カラム：Ｓｈｏｄｅｘ  ＧＰＣ  ＬＦ−８０４（昭和電工(株)製）を３本、検出器：示差屈折検出器、移動相：ＴＨＦ（テトラヒドロフラン）、流量：１ｍｌ／ｍｉｎ、試料濃度：約１．０ｍａｓｓ％／ｖｏｌ％ＴＨＦ、注入量：１００μＬ
【００２７】
これらの粘度調整剤は、一種単独で用いてもよく、二種類以上を組合せて用いてもよい。粘度調整剤の配合量は、ガスエンジン油組成物の１００℃動粘度が１０〜２０ｍｍ２／ｓの範囲内になる範囲で配合することが好ましい。
【００２８】
（カルシウム系金属型清浄剤）
本発明のガスエンジン油組成物には、カルシウム系金属型清浄剤の少なくとも一種を含有することが好ましい。
カルシウム系金属型清浄剤としては、例えば、カルシウムサリシレート、カルシウムスルホネート、カルシウムフェネートなどを配合することができるが、これらの中でもアルキルサリチル酸のアルカリ土類金属塩であるカルシウムサリシレートを配合することが好ましい。
【００２９】
本発明のガスエンジン油組成物に用いられるカルシウム系金属型清浄剤は、過塩素酸法（ＪＩＳ−Ｋ−２５０１−７：２００３）による全塩基価が好ましくは２００ｍｇＫＯＨ／ｇ以上であり、より好ましくは２００〜２４０ｍｇＫＯＨ／ｇ、更に好ましくは２１０〜２３０ｍｇＫＯＨ／ｇである。
塩基価が２００ｍｇＫＯＨ／ｇ以上のカルシウム系金属型清浄剤を用いることでガスエンジン油組成物の塩基価保持性向上に有効である。
【００３０】
本発明のガスエンジン油組成物における上記カルシウム系金属型清浄剤の配合量は、ガスエンジン油組成物全量に対して好ましくは０．５〜３質量％であり、より好ましくは１〜２．５質量％であり、更に好ましくは１〜２質量％である。
カルシウム系金属型清浄剤の配合量が０．５質量％以上であると耐酸化性及び耐ＮＯｘ性効果がより大きくなり、３質量％以下であると過剰な塩基成分がピストンへ堆積することを抑制し、ライナスカッフィングを引き起こし難くなる。
【００３１】
（コハク酸イミド系分散剤）
本発明のガスエンジン油組成物には、油組成物中に混入する燃焼生成物を分散する目的で、分散剤として、例えば、コハク酸イミド系分散剤を配合することができる。コハク酸イミド系分散剤としては、ガスエンジン油組成物の長寿命化の観点からホウ素含有コハク酸イミドを配合することがより好ましい。
【００３２】
ホウ素含有コハク酸イミドとしては、例えば、下記一般式（１）又は下記一般式（２）で表されるコハク酸イミドをホウ素変性させたホウ素含有コハク酸イミドを用いることができる。このうち、一般式（１）で表されるコハク酸イミドをホウ素変性させたホウ素含有コハク酸イミドを用いることが好ましく、重量平均分子量（ポリスチレン換算）が３，０００〜８，０００のものが好ましく、３，０００〜６，０００であるものがより好ましい。
なお、重量平均分子量は、前述の重量平均分子量と同様の条件にて、ゲルパーミエーションクロマトグラフィー（ＧＰＣ）で測定された分子量算定用標準ポリスチレン換算の値である。
【００３３】
【化１】
2018048221.tif 000002
【００３４】
【化２】
2018048221.tif 000003
【００３５】
一般式（１）及び一般式（２）において、Ｒ１及びＲ３は、それぞれ独立に、重量平均分子量８００〜２，５００（ポリスチレン換算）のアルキル基又はアルケニル基であり、Ｒ２は、それぞれ独立に、炭素数２〜５のアルキレン基であり、ｎは１〜１０の整数である。
【００３６】
ホウ素含有コハク酸イミドの好ましい配合量は、ガスエンジン油組成物全量に対し１〜１１質量％である。より好ましい配合量はガスエンジン油組成物全量に対し２〜１０質量％である。
【００３７】
（酸化防止剤）
本発明のガスエンジン油組成物は、酸化防止剤を含有することができる。酸化防止剤としては、例えば、フェノール系酸化防止剤及びアミン系酸化防止剤が挙げられる。
これらは一種単独で用いてもよく、二種類以上を組合せて用いてもよい。
【００３８】
フェノール系酸化防止剤としては、例えば、２，６−ジ−ｔｅｒｔ−ブチル−ｐ−クレゾールなどのアルキルフェノール類、４，４’−メチレンビス−（２，６−ジ−ｔ−ブチルフェノール）などのビスフェノール類、ｎ−オクタデシル−３−（４’−ヒドロキシ−３’，５’−ジ−ｔｅｒｔ−ブチルフェノール）プロピオネートなどのフェノール系化合物が挙げられる。
アミン系酸化防止剤としては、例えば、ナフチルアミン類やジアルキルジフェニルアミン類などの芳香族アミン化合物が挙げられる。
【００３９】
（ジアルキルジチオリン酸亜鉛）
本発明のガスエンジン油組成物は、摩耗防止性能の観点から、摩耗防止剤としてジアルキルジチオリン酸亜鉛を配合することが好ましい。
ジアルキルジチオリン酸亜鉛のアルキル基は第一級であってもよく、第二級であってもよい。
上記ジアルキルジチオリン酸亜鉛の好ましい配合量は、ガスエンジン油組成物全量に対し、０．１質量％〜２質量％であり、より好ましい配合量は０．２〜１質量％である。
【００４０】
（その他の添加剤）
本発明のガスエンジン油組成物には、効果（抗乳化性）を損なわない範囲で必要に応じてその他の添加剤を配合できる。
その他の添加剤としては、流動点降下剤、消泡剤等が挙げられる。
流動点降下剤としては、ポリメタクリレートなどが挙げられる。
消泡剤としては、シリコーン系消泡剤などが挙げられる。
【００４１】
（組成物の塩基価）
本発明のガスエンジン油組成物の塩基価は、塩酸法（ＪＩＳ−Ｋ−２５０１−８：２００３）で測定した際の値が、好ましくは２〜７ｍｇＫＯＨ／ｇであり、より好ましくは３〜５ｍｇＫＯＨ／ｇである。
ガスエンジン油組成物の塩基価が２ｍｇＫＯＨ／ｇ以上であると耐酸化性及び耐ＮＯｘ性効果がより大きくなり、７ｍｇＫＯＨ／ｇ以下であると過剰な塩基成分がピストンへ堆積することを抑制し、ライナスカッフィングを引き起こし難くなる。
なお、ガスエンジン油組成物の塩基価は、前述のカルシウム系金属型清浄剤を含有することで調整することが好ましい。
【００４２】
（組成物中の硫酸灰分量）
本発明のガスエンジン油組成物中の硫酸灰分量は特に限定はないが、硫酸灰分の多くはカルシウム系金属型清浄剤及び摩耗防止剤であるジアルキルジチオリン酸亜鉛等の金属分に由来するものであるため硫酸灰分量が多すぎると、ピストンヘッド及び吸排気バルブに堆積物が生成し、正常な燃焼の妨げとなる場合がある。このような観点から、硫酸灰分量は０．８質量％以下であることが好ましい。
一方、基本的なガスエンジン油組成物の性能を向上させる観点から、上記の金属分を含有する添加剤が、ガスエンジン油組成物にある程度の配合量で含有されることが好ましい。そのため、硫酸灰分量は０．５質量％が実質的な下限値となる場合が多い。
なお、本発明における硫酸灰分量とは、ＪＩＳ−Ｋ２２７２：１９９８による試験方法によって測定された灰分量を意味する。
【００４３】
（組成物の動粘度）
本発明のガスエンジン油組成物の１００℃における動粘度（ＪＩＳ−Ｋ−２２８３：２０００（ＡＳＴＭ  Ｄ４４５））は、好ましくは１０〜２０ｍｍ２／ｓ、より好ましくは１２．５〜１６．３ｍｍ２／ｓである。
【００４４】
（用途）
本発明のガスエンジン油組成物は、クランク室内のＮＯｘ量が多い発電容量１０００ｋＷ以下のコジェネレーションなどのガスエンジンに使用できる。
【実施例】
【００４５】
次に、本発明を実施例により具体的に説明する。なお、本発明は、これらの実施例により何ら限定されるものではない。
【００４６】
［実施例１及び比較例１〜７］
実施例及び比較例において試料の調製に用いた基油、及び添加剤（清浄剤、分散剤、酸化防止剤、摩耗防止剤、粘度調整剤、エーテル型非イオン性界面活性剤、抗乳化剤、その他の添加剤）は次のとおりである。これらの成分を下記表１に示す組成に調製し、実施例及び比較例の試料を作製した。
【００４７】
＜基油＞  
（１）水素化分解系の鉱油系基油（グループＩＩＩ基油）
１００℃動粘度  ７．８ｍｍ２／ｓ、粘度指数１２８
【００４８】
＜添加剤＞
（１）清浄剤
カルシウム系金属型清浄剤：塩基価２２８ｍｇＫＯＨ／ｇカルシウムサリシレート
【００４９】
（２）分散剤
ホウ素含有コハク酸イミド、重量平均分子量（ポリスチレン換算）が５，５００であって、窒素含有量１．４質量％、ホウ素含有量が０．９質量％である。
【００５０】
（３）酸化防止剤
酸化防止剤（Ａ）：フェノール系、高分子ヒンダードフェノール
酸化防止剤（Ｂ）：ジフェニルアミン系、Ｎ−フェニルベンゼンアミンと２，４，４−トリメチルペンテンの反応生成物
酸化防止剤（Ｃ）：ナフチルアミン系、Ｎ−フェニル−ａｒ−（１，１，３，３−テトラメチルブチル）−１−ナフタレンアミン
【００５１】
（４）摩耗防止剤
セカンダリータイプのアルキル基と、プライマリータイプのアルキル基とを有するジアルキルジチオリン酸亜鉛
【００５２】
（５）粘度調整剤
非分散型のＯＣＰ（オレフィンコポリマー）、重量平均分子量が１８０，０００
【００５３】
（６）エーテル型非イオン性界面活性剤
ポリオキシエチレンラウリルエーテル
【００５４】
（７）抗乳化剤
ポリオキシエチレン−ポリオキシプロピレン縮合物
【００５５】
（８）その他添加剤
ポリメタクリレート系流動点降下剤
消泡剤（シリコーン）
【００５６】
＜評価方法＞
[蒸気乳化試験]
１００ｍｌの遠心分離管に、試料（新油又は劣化油）を５０ｍｌ入れ、蒸気発生装置で発生させた蒸気を試験油の中に５ｍｌ（吹込み時間６０秒）吹込み乳化させる。なお、新油は上記の基油及び添加剤を配合した直後のガスエンジン油組成物を指し、劣化油は上記の基油及び添加剤を配合したガスエンジン油組成物を下記の劣化試験（ＩＳＯＴ試験）により劣化させたガスエンジン油組成物を指す。
【００５７】
[評価基準]
上記試験７２時間後のマヨネーズスラッジ発生量（単位：ｍｌ）を目視測定し、８ｍｌ以下なら抗乳化性能に問題なしと判断し、マヨネーズスラッジ発生量が少ないほど抗乳化性能に優れる性能であると評価する。
【００５８】
[劣化試験条件]
ＩＳＯＴ試験を用い劣化させる。
ＪＩＳ  Ｋ  ２８３９−１９９０に規定する試験容器に試験油を２５０ｍＬと、銅及び鉄触媒を添加し、１６５．５℃で、７２時間攪拌させ劣化させる。
【００５９】
【表１】
2018048221.tif 000004
【００６０】
[評価結果]
実施例１のように、界面活性剤及び抗乳化剤を添加したものは、界面活性剤だけを添加した比較例１〜４及び抗乳化剤だけを添加した比較例５〜６と比較して、新油及び劣化油においてマヨネーズスラッジの発生はなく、優れた抗乳化性を有する結果となった。また実施例１と、同じ界面活性剤及び抗乳化剤を添加した比較例７と、を比較しても添加剤の配合量により新油及び劣化油ともにマヨネーズスラッジ量は少なく優れた抗乳化性能を有す結果となった。